【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
ピクチャの領域に関する属性を決定するステップであって、前記ピクチャは特定の解像度を有し、前記属性は前記特定の解像度および前記領域に固有であり、前記ピクチャの前記領域は、前記特定の解像度において第１の整数個のピクセルと同一の広がりを持ち、第２の解像度において第２の整数個のピクセルと同一の広がりを持つ、前記ステップと、
前記属性を変換して、前記領域に固有であり、前記特定の解像度と前記第２の解像度との組み合わせとして決定される組み合わせ解像度に固有である属性をもたらすステップと、
を含む、方法。
【請求項２】
前記領域のサイズは、（ｉ）前記特定の解像度におけるピクセルのピクセル寸法と、（ｉｉ）前記第２の解像度におけるピクセルのピクセル寸法との組み合わせに基づく、請求項１に記載の方法。
【請求項３】
領域の幅は、前記特定の解像度および前記第２の解像度を含む一組の解像度の中の解像度のピクセルのピクセル幅の倍数に基づき、
領域の高さは、前記一組の解像度の中の解像度のピクセルのピクセル高さの倍数に基づく、請求項２に記載の方法。
【請求項４】
前記特定の解像度は、特定の水平解像度を含み、
前記第２の解像度は、第２の水平解像度を含み、
前記組み合わせ解像度は、組み合わせ水平解像度を含み、
前記一組の解像度の中の所与の解像度の前記ピクセル幅は、前記組み合わせ水平解像度を前記所与の解像度の水平解像度で割った数に基づく、請求項３に記載の方法。
【請求項５】
前記特定の解像度は、特定の垂直解像度を含み、
前記第２の解像度は、第２の垂直解像度を含み、
前記組み合わせ解像度は、組み合わせ垂直解像度を含み、
前記一組の解像度の中の所与の解像度の前記ピクセル高さは、前記組み合わせ垂直解像度を前記所与の解像度の垂直解像度で割った数に基づく、請求項３に記載の方法。
【請求項６】
前記組み合わせ解像度は、少なくとも前記特定の解像度および前記第２の解像度の倍数に基づく、請求項１に記載の方法。
【請求項７】
前記特定の解像度は、水平解像度、垂直解像度、または水平解像度と垂直解像度との両方を含む、請求項１に記載の方法。
【請求項８】
前記属性を決定するステップは、前記第１の整数個のピクセルのうちの２つ以上のピクセルに関する前記属性の値に基づいて前記領域に関する前記属性を決定するステップを含む、請求項１に記載の方法。
【請求項９】
前記属性は、視差値であり、
前記属性を決定するステップは、視差マップからの前記属性にアクセスするステップを含む、請求項１に記載の方法。
【請求項１０】
前記領域に関する前記変換された属性を、記憶または送信の少なくとも一方に好適なデータ構造に挿入するステップをさらに含む、請求項１に記載の方法。
【請求項１１】
領域のサイズおよび領域の位置を示す情報を前記データ構造に挿入するステップをさらに含む、請求項１０に記載の方法。
【請求項１２】
領域のサイズおよび領域の位置を決定するステップをさらに含む、請求項１に記載の方法。
【請求項１３】
前記変換された属性を符号化するステップをさらに含む、請求項１に記載の方法。
【請求項１４】
領域のサイズおよび領域の位置を示す情報を符号化するステップをさらに含む、請求項１に記載の方法。
【請求項１５】
変換するステップは、前記属性に、前記組み合わせ解像度と前記特定の解像度との比を反映する整数を掛けるステップを含む、請求項１に記載の方法。
【請求項１６】
前記属性は、デプスのインジケータを含む、請求項１に記載の方法。
【請求項１７】
デプスの前記インジケータは、視差値である、請求項１６に記載の方法。
【請求項１８】
ピクチャの領域に関する属性を決定することであって、前記ピクチャは特定の解像度を有し、前記属性は前記特定の解像度および前記領域に固有であり、前記ピクチャの前記領域は、前記特定の解像度において第１の整数個のピクセルと同一の広がりを持ち、第２の解像度において第２の整数個のピクセルと同一の広がりを持つ、決定することと、
前記属性を変換して、前記領域に固有であり、前記特定の解像度と前記第２の解像度との組み合わせとして決定される組み合わせ解像度に固有である属性をもたらすことと、
を実行するように集合的に構成された１または複数のプロセッサーを備える、装置。
【請求項１９】
ピクチャの領域に関する属性を決定するための手段であって、前記ピクチャは特定の解像度を有し、前記属性は前記特定の解像度および前記領域に固有であり、前記ピクチャの前記領域は、前記特定の解像度において第１の整数個のピクセルと同一の広がりを持ち、第２の解像度において第２の整数個のピクセルと同一の広がりを持つ、手段と、
前記属性を変換して、前記領域に固有であり、前記特定の解像度と前記第２の解像度との組み合わせとして決定される組み合わせ解像度に固有である属性をもたらすための手段と、
を備える、装置。
【請求項２０】
１または複数のプロセッサーに、
ピクチャの領域に関する属性を決定することであって、前記ピクチャは特定の解像度を有し、前記属性は前記特定の解像度および前記領域に固有であり、前記ピクチャの前記領域は、前記特定の解像度において第１の整数個のピクセルと同一の広がりを持ち、第２の解像度において第２の整数個のピクセルと同一の広がりを持つ、決定することと、
前記属性を変換して、前記領域に固有であり、前記特定の解像度と前記第２の解像度との組み合わせとして決定される組み合わせ解像度に固有である属性をもたらすことと、
を集合的に実行させるための命令をその上に記憶する、プロセッサー可読媒体。
【請求項２１】
ピクチャの領域に関する属性を決定することであって、前記ピクチャは特定の解像度を有し、前記属性は前記特定の解像度および前記領域に固有であり、前記ピクチャの前記領域は、前記特定の解像度において第１の整数個のピクセルと同一の広がりを持ち、第２の解像度において第２の整数個のピクセルと同一の広がりを持つ、決定すること、ならびに
前記属性を変換して、前記領域に固有であり、前記特定の解像度と前記第２の解像度との組み合わせとして決定される組み合わせ解像度に固有である属性をもたらすこと、
を行うように構成されたプロセッサーと、
前記変換された属性を示すデータによって信号を変調するように構成された変調器と、
を備える、装置。
【請求項２２】
ピクチャの領域に関する属性を示すデータを含む属性部分であって、前記属性は前記領域および組み合わせ解像度に固有であり、前記組み合わせ解像度は特定の解像度と第２の解像度との組み合わせとして決定され、前記ピクチャの前記領域は、前記特定の解像度において第１の整数個のピクセルと同一の広がりを持ち、前記第２の解像度おいて第２の整数個のピクセルと同一の広がりを持つ、属性部分
を含み、前記属性が復調器により復調される、データ構造。
【請求項２３】
信号の構造をその上に記憶するプロセッサー可読媒体であって、前記信号の構造は、
ピクチャの領域に関する属性を示すデータを含む属性部分であって、前記属性は前記領域および組み合わせ解像度に固有であり、前記組み合わせ解像度は特定の解像度と第２の解像度との組み合わせとして決定され、前記ピクチャの前記領域は、前記特定の解像度において第１の整数個のピクセルと同一の広がりを持ち、前記第２の解像度おいて第２の整数個のピクセルと同一の広がりを持つ、属性部分
を含む、前記プロセッサー可読媒体。
【請求項２４】
前記信号の構造は、領域のサイズを示すための部分、前記ピクチャ内の領域の位置を示すための部分、領域番号を示すための部分、または前記ピクチャ内の領域の総数を示すための部分のうちの１つまたは複数をさらに含む、請求項２３に記載の媒体。
【請求項２５】
ピクチャの領域に関する属性にアクセスするステップであって、前記ピクチャの前記領域は、特定の解像度において第１の整数個のピクセルと同一の広がりを持ち、第２の解像度において第２の整数個のピクセルと同一の広がりを持ち、前記属性は、前記領域に固有であり、前記特定の解像度と前記第２の解像度との組み合わせとして決定される組み合わせ解像度に固有である、ステップと、
前記属性を変換して、前記領域および前記特定の解像度に固有の属性をもたらすステップと、
前記変換された属性を、前記特定の解像度の前記第１の整数個のピクセルに関連付けるステップと、
を含む、方法。
【請求項２６】
前記領域のサイズは、（ｉ）前記特定の解像度におけるピクセルのピクセル寸法と、（ｉｉ）前記第２の解像度におけるピクセルのピクセル寸法との組み合わせに基づく、請求項２５に記載の方法。
【請求項２７】
領域の幅は、前記特定の解像度および前記第２の解像度を含む一組の解像度の中の解像度のピクセルのピクセル幅の倍数に基づき、
領域の高さは、前記一組の解像度の中の解像度のピクセルのピクセル高さの倍数に基づく、請求項２６に記載の方法。
【請求項２８】
前記特定の解像度は、特定の水平解像度を含み、
前記第２の解像度は、第２の水平解像度を含み、
前記組み合わせ解像度は、組み合わせ水平解像度を含み、
前記一組の解像度の中の所与の解像度の前記ピクセル幅は、前記組み合わせ水平解像度を前記所与の解像度の水平解像度で割った数に基づく、請求項２７に記載の方法。
【請求項２９】
前記特定の解像度は、特定の垂直解像度を含み、
前記第２の解像度は、第２の垂直解像度を含み、
前記組み合わせ解像度は、組み合わせ垂直解像度を含み、
前記一組の解像度の中の所与の解像度の前記ピクセル高さは、前記組み合わせ垂直解像度を前記所与の解像度の垂直解像度で割った数に基づく、請求項２７に記載の方法。
【請求項３０】
前記組み合わせ解像度は、少なくとも前記特定の解像度および前記第２の解像度の倍数に基づく、請求項２５に記載の方法。
【請求項３１】
前記特定の解像度は、水平解像度、垂直解像度、または水平解像度と垂直解像度との両方を含む、請求項２５に記載の方法。
【請求項３２】
前記属性にアクセスするステップは、前記領域に関する前記属性、および前記ピクチャの１または複数のその他の領域に関する属性を与えるようにフォーマットされたデータを含むビットストリームにアクセスするステップを含む、請求項２５に記載の方法。
【請求項３３】
変換するステップは、前記属性を、前記組み合わせ解像度と前記特定の解像度との比を反映する整数で割るステップを含む、請求項２５に記載の方法。
【請求項３４】
前記属性は、視差値である、請求項２５に記載の方法。
【請求項３５】
前記属性は、符号化された属性を含み、前記方法は、前記符号化された属性を復号するステップをさらに含む、請求項２５に記載の方法。
【請求項３６】
関連付けるステップは、前記特定の解像度の前記第１の整数個のピクセルに関するピクセル位置を決定するステップを含む、請求項２５に記載の方法。
【請求項３７】
データ構造は、前記第１の数のピクセルのそれぞれに関して別々のフィールドを有し、関連付けるステップは、前記変換された属性を前記別々のフィールドのそれぞれに挿入するステップを含む、請求項２５に記載の方法。
【請求項３８】
ピクチャの領域に関する属性にアクセスすることであって、前記ピクチャの前記領域は、特定の解像度において第１の整数個のピクセルと同一の広がりを持ち、第２の解像度において第２の整数個のピクセルと同一の広がりを持ち、前記属性は、前記領域に固有であり、前記特定の解像度と前記第２の解像度との組み合わせとして決定される組み合わせ解像度に固有である、前記アクセスすることと、
前記属性を変換して、前記領域および前記特定の解像度に固有の属性をもたらすことと、
前記変換された属性を、前記特定の解像度の前記第１の整数個のピクセルに関連付けることと、
を実行するように集合的に構成された１または複数のプロセッサーを備える、装置。
【請求項３９】
ピクチャの領域に関する属性にアクセスするための手段であって、前記ピクチャの前記領域は、特定の解像度において第１の整数個のピクセルと同一の広がりを持ち、第２の解像度において第２の整数個のピクセルと同一の広がりを持ち、前記属性は、前記領域に固有であり、前記特定の解像度と前記第２の解像度との組み合わせとして決定される組み合わせ解像度に固有である、前記手段と、
前記属性を変換して、前記領域および前記特定の解像度に固有の属性をもたらすための手段と、
前記変換された属性を、前記特定の解像度の前記第１の整数個のピクセルに関連付けるための手段と、
を備える、装置。
【請求項４０】
１または複数のプロセッサーに、
ピクチャの領域に関する属性にアクセスすることであって、前記ピクチャの前記領域は、特定の解像度において第１の整数個のピクセルと同一の広がりを持ち、第２の解像度において第２の整数個のピクセルと同一の広がりを持ち、前記属性は、前記領域に固有であり、前記特定の解像度と前記第２の解像度との組み合わせとして決定される組み合わせ解像度に固有である、前記アクセスすることと、
前記属性を変換して、前記領域および前記特定の解像度に固有の属性をもたらすことと、
前記変換された属性を、前記特定の解像度の前記第１の整数個のピクセルに関連付けることと、
を集合的に実行させるための命令をその上に記憶する、プロセッサー可読媒体。
【請求項４１】
ピクチャの領域に関する属性を示すデータを含む信号を復調するための復調器であって、前記ピクチャの前記領域は、特定の解像度において第１の整数個のピクセルと同一の広がりを持ち、第２の解像度において第２の整数個のピクセルと同一の広がりを持ち、前記属性は、前記領域に固有であり、前記特定の解像度と前記第２の解像度との組み合わせとして決定される組み合わせ解像度に固有である、前記復調器と、
前記属性を変換して、前記領域および前記特定の解像度に固有の属性をもたらし、
前記変換された属性を、前記特定の解像度の前記第１の整数個のピクセルに関連付ける
ように構成されたプロセッサーと、
を備える、装置。